(57)【特許請求の範囲】
【請求項１】
複数の端子が導電性の金属体上に配設されこの金属体の両側面に一対の絶縁性の側板が取付けられた端子台と、この端子台の上面及び前面をそれぞれ覆う上面部と前面部とからなる透明の可撓性材料の端子カバーとを備えた端子台装置において、
前記端子カバーは、
前記端子台の一対の側板に対して、装着、離脱自在に設けられており、
前記上面部に前記端子の通電状態を検査するための検査窓が形成されており、
前記前面部における前記各端子の対向位置に、穿設された複数のスリットからなり、スリット間の非スリット部分が選択破断されることによって、前記各端子に電線を接続する場合に、少なくとも一つの端子に接続された電線が貫通する個別貫通窓、複数の端子に対する共通貫通窓が択一的に形成されるスリットパターンが形成されている
ことを特徴とする端子台装置。
【請求項２】
複数の端子が導電性の金属体上に配設されこの金属体の両側面に一対の絶縁性の側板が取付けられた端子台と、この端子台の上面及び前面をそれぞれ覆う上面部と前面部とからなる透明の可撓性材料の端子カバーとを備えた端子台装置において、
前記端子台は、
前記一対の側板の前面側縁の上下方向の上端近傍位置に形成され、前記上端の幅方向端位置より内側位置まで湾曲した一対の湾曲切欠部と、
前記一対の側板に上下方向に刻設された一対のガイド溝と、
前記一対の側板の上端の幅方向の前記前面に対する反対側端に形成された切欠段部とを備え、
前記端子カバーは、
前記上面部に下方に向かって形成され、当該端子カバーが前記一対の側板に装着された状態で前記一対の湾曲切欠部に係止される係止部と、
前記上面部に下方に向かって形成され、当該端子カバーが前記一対の側板に装着された状態で前記ガイド溝に挿入される突起部と、
前記上面部に下方に向かって形成され、当該端子カバーが前記一対の側板に装着された状態で前記一対の側板の内面に当接する一対の位置固定リブと、
前記上面部の幅方向の前記前面部に対する反対側端に下方に向かって形成され、先端が前記切欠段部に当接した状態で当該先端を回動中心とする回動動作で前記端子カバーを前記一対の側板に対する装着操作及び離脱操作を行うための回動アームと、
前記上面部に形成され、前記端子の通電状態を検査するための検査窓と、
前記前面部における前記各端子の対向位置に穿設された複数のスリットで形成され、スリット間の非スリット部分が選択破断されることによって、前記各端子に電線を接続する場合に、少なくとも一つの端子に接続された電線が貫通する個別貫通窓、複数の端子に対する共通貫通窓が択一的に形成されるスリットパターンとを備えた
ことを特徴とする端子台装置。
【請求項３】
複数の端子が導電性の金属体上に配設されこの金属体の両側面に一対の絶縁性の側板が取付けられた端子台と、この端子台の上面及び前面をそれぞれ覆う上面部と前面部とからなる透明の可撓性材料の端子カバーとを備えた端子台装置において、
前記端子台は、前記一対の側板の上端の幅方向の前記前面に対する反対側端に形成された切欠段部を有し
前記端子カバーは、
前記上面部に下方に向かって形成され、当該端子カバーが前記一対の側板に装着された状態で前記一対の側板の内面に当接する一対の位置固定リブと、
前記上面部の幅方向の前記前面部に対する反対側端に下方に向かって形成され、当該端子カバーが前記一対の側板に装着された状態で前記一対の側板に形成された切欠段部に当接する一対の位置固定アームと、
前記上面部に形成され、前記端子の通電状態を検査するための検査窓と、
前記前面部における前記各端子の対向位置に穿設された複数のスリットで形成され、スリット間の非スリット部分が選択破断されることによって、前記各端子に電線を接続する場合に、少なくとも一つの端子に接続された電線が貫通する個別貫通窓、複数の端子に対する共通貫通窓が択一的に形成されるスリットパターンとを備えた
ことを特徴とする端子台装置。
【発明の詳細な説明】
【技術分野】
【０００１】
本発明は、１本の電線を複数の電線に分岐したり、複数の電線を１本の電線にまとめたり、または複数の電線を接続する場合に使用される端子台装置に係わり、特に電線が接続された状態の端子台をカバーする端子カバー、及びこの端子カバーの端子台への装着機構を改良した端子台装置に関する。
【背景技術】
【０００２】
例えば、工場の各種の電気設備を制御する制御装置が収納されている制御盤内には、各電機機器に対して電力を供給したり、各電機機器から各種電気信号を入出力するための多数の端子台が制御盤内の配線ダクトの近傍位置に設けられた桟又はラックに配列されている。
【０００３】
この配列された各端子台装置は、例えば特許文献１に記載されたように、絶縁性材料で構成された直方体状のベースの上面に複数の仕切板が前記ベースの長尺方向に、前記ベースと一体形成されている。複数の仕切板で仕切られたベース上面の各領域に金属板が取付けられている。この金属板に１個又は複数の端子が取付けられている。したがって、この各金属板及び金属板にネジ込み固定された各端子は単位端子台を構成する。一つのベースに複数の単位端子台が形成されたものを端子台装置とする。
【０００４】
さらに、この複数の単位端子台が組込まれ端子台装置には、複数の単位端子台の上面を共通に覆うための共通端子カバーが予め準備されている。この共通端子カバーは、各単位端子台における電線が接続された状態の各端子に作業員が誤って接触して感電事故が発生するのを未然に防止する。
【０００５】
そして、この端子台装置を用いて、実際に配線する場合、この端子台装置を配電盤内に固定した後に、各単位端子台の各端子に必要な電線を接続する。各端子に必要な電線の接続作業が終了すると、共通端子カバーを全部の単位端子台を収納するケースの側壁にネジ止め固定する。この状態においては、各端子と各電線の接続場所は共通端子カバーに覆われている。
【０００６】
このように、共通端子カバーを端子台装置に取付けることによってこの端子台装置が組込まれた回路を通電した状態において、作業員が不用意に端子に触れることを未然に防止できる。
【０００７】
また、上述した特許文献１に記載された端子台装置の他に、特許文献２に提案された端子台装置がある。この端子台装置においては、短尺方向に段差があるベースを用いて、このベースを長尺方向に複数の仕切板で仕切り、仕切板で仕切られた各領域に階段状の金属板を取付け、この各金属板の上段部及び下段部にそれぞれ端子を取付ている。そして、金属板の上段部及び下段部にそれぞれ端子が取付られた各単位端子台の上面を共通に覆う共通端子カバーが取付けられている。
【特許文献１】実開平１−１１５１６９号公報
【特許文献２】実公平１−４５１００号公報
【発明の開示】
【発明が解決しようとする課題】
【０００８】
しかしながら上述した共通端子カバーを採用した端子台装置においても、まだ改良すべき次のような課題があった。
【０００９】
すなわち、共通端子カバーの各単位端子台の各端子の上面には、共通端子カバーに覆われているが、各端子の電線が接続される各端子の軸方向に直交する前面及び後面には、この各端子に接続される電線が貫通するので、カバーで覆われていない。しかしながら、実際の配線においては、各単位端子台の各端子に、電線が接続されるか否か、接続された場合における電線の太さ、電線の本数はその都度変化する。
【００１０】
この場合、当該端子に電線が接続されておらず、かつ該当端子が取付けられた金属板に取付られた端子に例えば他の端子に接続された電線から電力が供給されている状態において、電線が接続されていない前面を介して、作業員の手が不用意に通電状態の端子に触れて感電事故が発生する懸念がある。
【００１１】
本発明はこのような事情に鑑みてなされたものであり、端子カバーで端子の上面のみならす前面も覆い、前面の電線が貫通する部分に貫通窓を形成し、この貫通窓の形状、大きさを簡単に設定変更でき、貫通窓と電線との隙間を狭くでき、かつ端子カバーの端子台に対する装着、離脱を容易に実施でき、作業者の安全性の向上と配線作業能率の向上とを図ることができる端子台装置を提供することを目的とする。
【課題を解決するための手段】
【００１２】
本発明は、複数の端子が導電性の金属体上に配設されこの金属体の両側面に一対の絶縁性の側板が取付けられた端子台と、この端子台の上面及び前面をそれぞれ覆う上面部と前面部とからなる透明の可撓性材料の端子カバーとを備えた端子台装置に適用される。
【００１３】
そして、上記課題を解消するために、本発明の端子台装置においては、端子カバーは端子台の一対の側板に対して、装着、離脱自在に設けられている。さらに、この端子カバーの上面部には、端子の通電状態を検査するための検査窓が形成されている。さらに、前面部における各端子の対向位置に、穿設された複数のスリットからなり、スリット間の非スリット部分が選択破断されることによって、各端子に電線を接続する場合に、少なくとも一つの端子に接続された電線が貫通する個別貫通窓、複数の端子に対する共通貫通窓が択一的に形成されるスリットパターンが形成されている。
【００１４】
このように構成された端子台装置においては、端子カバーを簡単に端子台に装着、離脱できるので、この端子台装置を用いて配線され電気（電力）系統の配線変更作業効率を向上できる。さらに、各端子に電線を接続するに際して、端子カバーの前面部を通過する１個又は複数の電線の通過位置（通過領域）のみを貫通窓としてスリットパターンで選択指定できる。したがって、貫通窓とこの貫通窓を貫通する電線との間の隙間を極力少なくできる。その結果、この端子台装置に対する通電状態時に、作業員が誤って端子に指等が接触することが未然に防止され、安全性をより一層向上できる。
【００１５】
また、別の発明においては、上述した端子台装置の端子台に対して、一対の側板の前面側縁の上下方向の上端近傍位置に形成され、上端の幅方向端位置より内側位置まで湾曲した一対の湾曲切欠部と、一対の側板に上下方向に刻設された一対のガイド溝と、一対の側板の上端の幅方向の前記前面に対する反対側端に形成された切欠段部とを備えている。
【００１６】
また、端子カバーに対して、上面部に下方に向かって形成され、当該端子カバーが一対の側板に装着された状態で一対の湾曲切欠部に係止される係止部と、上面部に下方に向かって形成され、当該端子カバーが一対の側板に装着された状態でガイド溝に挿入される突起部と、上面部に下方に向かって形成され、当該端子カバーが一対の側板に装着された状態で一対の側板の内面に当接する一対の位置固定リブと、上面部の幅方向の前面部に対する反対側端に下方に向かって形成され、先端が切欠段部に当接した状態で当該先端を回動中心とする回動動作で端子カバーを一対の側板に対する装着操作及び離脱操作を行うための回動アームとを備えている。
【００１７】
このような構成においって、端子カバーを端子台へ装着する場合は、端子カバーの回動アームを端子台の側板の後端の切欠段部に押し当てて時計方向に回動させることによって、この端子カバーの係止部が幅方向端位置より内側位置まで湾曲し湾曲切欠部に係止されるので、この端子カバーが振動等に起因して端子台から離脱することはない。また、端子カバーの幅方向位置は、ガイド溝と突起部によって固定され、端子カバーの長手方向位置は、側板の内面に位置固定リブが当接することにより達成される。
【００１８】
このように、端子カバーの端子台の一対の側板に対する装着、離脱機構を採用することによって、この端子台装置を用いた配線作業の作業効率より一層向上できる。
【００１９】
さらに、先の発明と同様に、この端子カバーの上面部に対して、前述した、前記端子の通電状態を検査するための検査窓を設け、さらに、前面部に対してスリットパターンを形成している。
【００２０】
また、別の発明の端子台装置においては、端子台に対して、一対の側板の上端の幅方向の前記前面に対する反対側端に形成された切欠段部を設けている。
【００２１】
また、端子カバーに対して、上面部に下方に向かって形成され、当該端子カバーが前記一対の側板に装着された状態で前記一対の側板の内面に当接する一対の位置固定リブと、上面部の幅方向の前記前面部に対する反対側端に下方に向かって形成され、当該端子カバーが前記一対の側板に装着された状態で一対の側板に形成された切欠段部に当接する一対の位置固定アームと、上面部に形成され、端子の通電状態を検査するための検査窓と、前面部における各端子の対向位置に穿設された複数のスリットで形成され、スリット間の非スリット部分が選択破断されることによって、前記各端子に電線を接続する場合に、少なくとも一つの端子に接続された電線が貫通する個別貫通窓、複数の端子に対する共通貫通窓が択一的に形成されるスリットパターンとを備えている。
【００２２】
したがって、上述した各発明とほぼ同様の作用効果を奏することが可能となる。
【発明の効果】
【００２３】
本発明の端子台装置によれば、端子カバーを、端子台の端子が取付けられた金属体の両側に取付けられた一対の側板に簡単に装着、離脱可能に設けている。さらに、端子カバーの前面部に、電線の端子に対する接続状態に対応する形状の貫通窓をスリットパターンのなかから選択可能であるので、貫通窓と電線との隙間を狭くでき、作業者の安全性をより一層向上できる。
【発明を実施するための最良の形態】
【００２４】
以下、本発明の各実施形態を図面を用いて説明する。
【００２５】
（第１実施形態）
図１は本発明の第１実施形態に係わる端子台装置における端子台と端子カバーを示す斜視図であり、図２は端子カバーを端子台に装着した状態を示す斜視図である。
【００２６】
この実施形態の端子台装置１は、端子台２とこの端子台２の前面と上面とを覆う透明の例えば透明のプラスチック等の可撓材料で形成された端子カバー３とで構成される。
【００２７】
端子台２においては、硬質の絶縁性のプラスチック材料で形成されたベース４の上に、階段状に折り曲げ形成された導電性の金属板５が取付けられている。この金属板５の下段の金属板５ａには、長手方向に２つの端子６ａ、６ｂが取付けられている。垂直の金属板５ｂを介した上段の金属板５ｃには、長手方向に２つの端子７ａ、７ｂが取付けられている。具体的には、各端子６ａ、６ｂ、７ａ、７ｂは端子ボルトで形成されており、金属板５ａ、５ｃに刻設されたネジ穴に、接続すべき電線８の先端部を挟んでネジ込み固定する。
【００２８】
この階段状に折り曲げ形成された導電性の金属板５の長手方向の両側には、前記ベース４と同一の絶縁性の硬質のプラスチックで形成された側板９ａ、９ｂが図示しない、連結ボルトによって、締め付け固定されている。
【００２９】
なお、この実施形態の端子台２の後面は図示しないカバーで覆われている。
【００３０】
各側板９ａ、９ｂにおける水平の上端部１０に直交する垂直の前面側縁１１の上下方向の上端近傍位置に、上端部１０の幅方向端の位置より内側位置まで湾曲した湾曲切欠部１２が形成されている。さらに、側板９ａ、９ｂには、上端が上端部１０に開口するガイド溝１３が上下方向に刻設されている。また、各側板９ａ，９ｂの上端部１０の幅方向の前面に対する反対側端に切欠段部１４が形成されている。なお、各側板９ａ，９ｂの下部には、前述した、連結ボルト用の穴１５が穿設されている。
【００３１】
次に、この端子台２の側板９に装着、離脱される端子カバー３を、図１の分解斜視図、図２の斜視図、図３（ａ）の斜視図、図３（ｂ）の側面図、図３（ｃ）の上面図を用いて説明する。この端子カバー３は、端子台２の上面を覆う上面部１６と端子台２の前面を覆う前面部１７とで構成されている。
【００３２】
上面を覆う上面部１６には、端子台２の金属板９ａ、９ｃに取付けられた各端子６ａ、６ｂ、７ａ、７ｂの通電状態を検査するための２つの検査窓１８、端子番号（信号名）のプレートを取付けるためのプレート取付部１９が形成されている。さらに、この上面部１６の後端部には、作業員が、この端子カバー３を側板９ａ、９ｂに手作業で装着、離脱する場合に、手で掴むためのＵ字断面形状を有した操作ノブ２０が一体形成されている。
【００３３】
さらに、この端子カバー３を側板９ａ、９ｂに装着した状態で側板９ａ、９ｂの上端部１０が当接する上面部１６の端部において、前面部１７の近傍位置には、下方へ湾曲する係止部２１が形成されている。この係止部２１はこの端子カバー３を端子台２に装着した場合において、湾曲切欠部１２に係止される。
【００３４】
また、この上面部１６の側板９ａ、９ｂの上端部１０のガイド溝１３が当接する位置の下面には、このガイド溝１３に挿入される突起部２２が形成されている。さらに、上面部１６の側板９ａ、９ｂの上端部１０における前面部１７の反対側位置には、下方に向かって回動アーム２３が形成されている。さらに、端子カバー３が側板９ａ、９ｂに装着された状態で側板９ａ、９ｂの内面に当接する一対の位置固定リブ２４が形成されている。
【００３５】
端子カバー３の前面部１７には、図３（ａ）に示すようにスリットパターン２５が形成されている。このスリットパターン２５は、例えば図２に示すように、端子台２の６個の端子６ａ、６ｂ、７ａ、７ｂのうち必要とされる端子に電線８が接続された状態で、この電線８が貫通する貫通窓２６を形成するための、予め穿設されている複数（実施形態においては合計９個）のスリット２７で構成されている。
【００３６】
そして、作業者は、このスリットパターン２５におけるスリット２７、２７相互間の非スリット部分２８を、例えば、ニッパ等の工具で破断することにより、複数種類の貫通窓２６を択一的に形成することが可能である。図４（ａ）〜（ｆ）に示すように、６種類の貫通窓２６ａ、２６ｂ、２６ｃ、２６ｄ，２６ｅ、２６ｆが形成可能である。なお、各貫通窓２６ａ〜２６ｆは、各電線８を各端子６ａ〜７ｂに接続した状態で、端子カバー３を装着する必要があるので、各貫通窓２６ａ〜２６ｆの下端は開口されている。
【００３７】
この貫通窓２６ａ〜２６ｆの形状は、大きく分けて、貫通窓２６ａ、２６ｂ、２６ｄ、２６ｆに示すように、一つの端子６ａ〜７ｂに対応する個別貫通窓と、貫通窓２６ｃ、２６ｅに示すように、複数の端子６ａ〜７ｂに対応する共通貫通窓とに分類できる。
【００３８】
さらに、一つの貫通窓２６ａ〜２６ｆに貫通させる電線８の本数ｎ、太さｄに応じて、貫通窓２６ａ〜２６ｆの大きさ、及び形状を選択設定可能である。例えば、貫通窓２６ａにおいては、太い１本の電線８が貫通しており、面積の大きい貫通窓２６ｄには、細い複数の電線８が貫通している。
【００３９】
このように、各端子６ａ〜７ｂの電線８の接続状態に応じて、貫通窓２６の形状を複数の貫通窓２６ａ〜２６ｆから選択設定が可能である。
【００４０】
次に、作業員が、このように構成された端子カバー３を、端子台２の側板９ａ、９ｂに装着する操作手順を図５を用いて説明する。先ず、装着する前に、前面部１７に必要な形状の貫通窓２６を作成しておく。そして、図５（ａ）に示すように、端子カバー３の回動アーム２３の先端を端子台２の側板９ａ、９ｂの上端部１０の後端の切欠段部１４に押し当てて、端子カバー３を時計方向に回動させる。この場合、端子カバー３の上面部１６が側板９ａ、９ｂの上端部１０に当接するまで回動させる。その結果、図５（ｂ）に示すように、端子カバー３の係止部２１が伸び変形して上端部１０の前端位置を乗り越えて、その後収縮して、この前端位置より内側位置まで移動して湾曲切欠部１２に係止される。したがって、この端子カバー３が振動等に起因して端子台２から離脱することはない。
【００４１】
また、装着された状態では、端子カバー３の突起部２２が側板９ａ、９ｂのガイド溝１３内に挿入されるので、端子カバー３の幅方向位置は固定される。さらに、装着された状態では、図６に示すように、端子カバー３の一対の位置固定リブ２４が各側板９ａ、９ｂ内面に当接する。したがって、端子カバー３の長手方向位置が固定される。
【００４２】
次に、端子台２の側板９ａ、９ｂに装着された状態の端子カバー３を端子台２から離脱する操作を図７を用いて説明する。作業員は、手の２つの指で操作ノブ２０と上面部１６の前端部とをつまんで、回動アーム２３の先端を中心に反時計方向に回動させる。この回動過程で、係止部２１が湾曲切欠部１２から開放されて、突起部２２がガイド溝１３から開放される。
【００４３】
このように、作業員の簡単な操作で、端子カバー３の端子台２の側板９ａ、９ｂに対する装着、離脱機構を採用することによって、この端子台装置１を用いた配線作業の作業効率をより一層向上できる。
【００４４】
（第２実施形態）
図８は本発明の第２実施形態に係わる端子台装置を示す分解斜視図である。図１に示す第１実施形態の端子台装置１と同一部分には、同一符号を付して重複する部分の詳細説明を省略する。
【００４５】
この第２実施形態の端子台装置１ａの端子台２ａにおいては、この端子台２ａ内に組込金属板３０を、図９に示すように、図１の第１実施形態における金属板５ａ、５ｂ、５ｃに加えて、垂直方向の金属板５ｄ、５ｄが一体形成されている。そして、金属板５ａに端子６ａ、６ｂが取付けられており、金属板５ｃに端子７ａ、７ｂが取付けられており、金属板５ｄには、端子７ａ、７ｂが取付けられている。
【００４６】
そして、図８に示すように、この大型の金属板３０が組込まれた端子台２ａの各側板３１ａ、３１ｂは、図１に示す第１実施形態の各側板９ａ、９ｂを２枚分幅方向に対称に並べて一体形成した構成を有する。したがって、この端子台２ａの上面及び及び幅方向の両側に形成された各前面を覆う端子カバーは、図８に示すように、図１に示す第１実施形態の２つの端子カバー３を、各側板３１ａ、３１ｂの幅方向の各側板９ａ、９ｂ部分に個別に装着、離脱可能に設けられている。
【００４７】
したがって、この実施形態においては、電線８を端子台２ａの前面方向及び後面方向から取出すことが可能である。このように構成された第２実施形態の端子台装置１ａにおいても、図１に示す第１実施形態の端子台装置１とほぼ同様の作用効果を奏することが可能である。
【００４８】
（第３実施形態）
図１０は本発明の第３実施形態に係わる端子台装置を示す分解斜視図である。図１、図８に示す第１、第２実施形態の端子台装置１、１ａと同一部分には、同一符号を付して重複する部分の詳細説明を省略する。
【００４９】
この第３実施形態の端子台装置１ｂにおいては、端子台２ａは、第２実施形態の端子台２ａと、金属板３０の形状以外は、ほぼ同一形状であり、各側板３１ａ、３１ｂは、図１に示す第１実施形態の各側板９ａ、９ｂを２枚分幅方向に対称に並べて一体形成した構成を有する。したがって、この端子台２ａの上面及び及び幅方向の両側に形成された各前面を覆う端子カバーは、図１０に示すように、２つの端子カバー３ａが、各側板３１ａ、３１ｂの幅方向の各側板９ａ、９ｂ部分に個別に装着、離脱可能に設けられている。
【００５０】
図１１（ａ）、（ｂ）はこの端子カバー３ａの斜視図、正面図であり、図１２（ａ）、（ｂ）はこの端子カバー３ａの側面図、上面図である。図３（ａ）、（ｂ）、（ｃ）に示す第１実施形態の端子カバー３と同一部分には同一符号を付して、重複説明を省略する。
【００５１】
この端子カバー３ａにおいては、上面部１６の各側板９ａ、９ｂの上端部１０の内側に沿ってＵ字断面形状を有する操作ノブ３２が形成されている。この操作ノブ３２の側面の一部には、滑り止め部３４が形成されている。さらに、上面部１６には、端子カバー３ａが側板３１ａ（９ａ）、３１ｂ（９ｂ）に装着された状態で側板３１ａ（９ａ）、３１ｂ（９ｂ）の内面に当接する一対の位置固定リブ２４が形成されている。
【００５２】
さらに、上面部１６の側板３１ａ（９ａ）、３１ｂ（９ｂ）の上端部１０における前面部１７の反対側位置には、下方に向かって位置固定アーム３３が形成されている。この端子カバー３ａが側板３１ａ（９ａ）、３１ｂ（９ｂ）に装着された状態で、この位置固定アーム３３の先端が、端子台２ａの側板３１ａ（９ａ）、３１ｂ（９ｂ）の上端部１０に形成された切欠段部１４に当接する。また、端子カバー３ａの前面部１７には、先の端子カバー３と同様に、図１１（ｂ）に示すスリットパターン２５が形成されている。
【００５３】
このように構成された端子カバー３ａを、端子台２ａの側板３１ａ（９ａ）、３１ｂ（９ｂ）の上端部１０に装着する場合は、手の２つの指で両側の操作ノブ３２を掴んで、Ｕ字断面形状を有する操作ノブ３２の下端を端子台２ａの側板３１ａ（９ａ）、３１ｂ（９ｂ）の内面に沿って、位置固定アーム３３の先端が切欠段部１４位置に当接するまで押込む。
【００５４】
このように端子カバー３ａが側板３１ａ（９ａ）、３１ｂ（９ｂ）に装着された状態においては、操作ノブ３２の側面の滑止め部３４が側板３１ａ（９ａ）、３１ｂ（９ｂ）の内面に付勢された状態であるので、この端子カバー３ａが振動等に起因して端子台２ａから離脱することはない。
【００５５】
また、装着された状態では、端子カバー３ａの位置固定アーム３３が切欠段部１４に固定され、前面部１７が側板３１ａ（９ａ）、３１ｂ（９ｂ）の前面側縁１１に当接するので、端子カバー３ａの幅方向位置は固定される。さらに、装着された状態では、図１２（ｂ）に示すように、端子カバー３ａの一対の位置固定リブ２４が各側板３１ａ（９ａ）、３１ｂ（９ｂ）の内面に当接する。したがって、端子カバー３ａの長手方向位置が固定される。
【００５６】
次に、端子台２ａの各側板３１ａ（９ａ）、３１ｂ（９ｂ）に装着された状態の端子カバー３ａを端子台２ａから取外す手順を説明する。例えば、右側に取付けられ端子カバー３ａを取外す場合は、右手親指を端子台２ａの中央に、中指、薬指、小指を外側にして端子カバー３ａ全体を掴み、人差し指で上側にある操作ノブ３２を手前に引いて、端子台２ａとの引っ掛かりを外すことによって、この端子カバー３ａを持上げて、端子台２ａから離脱する。
【００５７】
このように構成された端子カバー３ａにおいては、先の端子カバー３と同様に、端子台２ａに対して簡単に装着、離脱することができる。また、前面部１７にスリットパターン２５が形成されているので、各端子に接続される電線８の本数、太さに応じて予め設定された複数種類の形状、及び大きさを有した貫通窓２６から最適の貫通窓２６を選択可能である。
【図面の簡単な説明】
【００５８】
【図１】本発明の第１実施形態に係わる端子台装置の概略構成を示す分解斜視図
【図２】同実施形態に係わる端子台装置の斜視図
【図３】同実施形態の端子台装置に組込まれる端子カバーの斜視図、側面図及び上面図を示す図
【図４】同実施形態の端子カバーの前面部に形成される各貫通窓を示す図
【図５】同実施形態の端子カバーの端子台に対する装着操作手順を示す図
【図６】同実施形態の端子カバーが端子台に装着された状態を示す上面図
【図７】同実施形態の端子カバーの端子台からの離脱操作手順を示す図
【図８】本発明の第２実施形態に係わる端子台装置の概略構成を示す分解斜視図
【図９】同実施形態の端子台に組み込まれている金属板の形状を示す図
【図１０】本発明の第３実施形態に係わる端子台装置の概略構成を示す分解斜視図
【図１１】同実施形態の端子台装置に組込まれる端子カバーの斜視図及び前面図を示す図
【図１２】同実施形態の端子台装置に組込まれる端子カバーの側面図及び上面図を示す図
【符号の説明】
【００５９】
１，１ａ、１ｂ…端子台装置、２，２ａ…端子台、３，３ａ…端子カバー、４…ブロック、５，３０…金属板、６ａ，６ｂ，７ａ，７ｂ，７ｃ，７ｄ，７ｅ…端子、８…電線、９ａ，９ｂ，３１ａ，３１ｂ…側板、１０…上端部、１１…前面側縁、１２…湾曲切欠部、１３…ガイド溝、１４…切欠段部、１６…上面部、１７…前面部、１８…検査窓、１９…プレート取付部、２０，３２…操作ノブ、２１…係止部、２２…突起部、２３…回動アーム、２４…位置固定リブ、２５…スリットパターン、２６…貫通窓、２７…スリット、２８…非スリット部分、３３…位置固定アーム、３４…滑止め部
【図１】
0005128374.tif 000002
【図２】
0005128374.tif 000003
【図３】
0005128374.tif 000004
【図４】
0005128374.tif 000005
【図５】
0005128374.tif 000006
【図６】
0005128374.tif 000007
【図７】
0005128374.tif 000008
【図８】
0005128374.tif 000009
【図９】
0005128374.tif 000010
【図１０】
0005128374.tif 000011
【図１１】
0005128374.tif 000012
【図１２】
0005128374.tif 000013